(57)【特許請求の範囲】
【請求項１】
壁面に埋設されたアンカーボルトと、裏面に防水シートが貼着され壁面に沿って配列されたパネルと、アンカーボルトに支持されて隣接するパネルの縦目地部分に沿って配置された縦目地材とを有し、縦目地材はアンカーボルトに支持される基板上に、相対向した二個の台座が上下方向に沿って形成されると共に各々の台座の背面側が開口して縦溝が形成され、パネルは、左右側端が縦目地材の台座上に配置され、且つパネル裏面の防水シートの左右側端には先端が縦目地材の縦溝内に挿入されて漏水を縦目地部分から漏出させない立ち上げ部が形成されたことを特徴とするトンネル状構造物のパネルによる導水構造。
【請求項２】
下地材を介してアンカーボルトに支持されて隣接するパネルの横目地部分に沿って配置された横目地材を有し、パネルは、上下端が前記下地材と横目地材との間に挟着されて下地材に支持され、且つパネル裏面の防水シートの下端には下地材と壁面との間に位置されて漏水を横目地部分から漏出させない立ち上げ部が形成されたことを特徴とする請求項１記載のトンネル状構造物のパネルによる導水構造。
【請求項３】
パネルの裏面に防水シートが貼着され、防水シートの左右側端がめくり上げられることにより、パネル裏面の左右側端に沿って立ち上げ部が形成されたことを特徴とする請求項１または２記載のトンネル状構造物のパネルによる導水構造。
【請求項４】
パネルの裏面に防水シートが貼着され、防水シートの下端がめくり上げられることにより、パネル裏面の下端に沿って立ち上げ部が形成されたことを特徴とする請求項２または３記載のトンネル状構造物のパネルによる導水構造。
【発明の詳細な説明】
【０００１】
【発明の属する技術分野】
本発明は、トンネルや地下道等のトンネル状構造物の壁面よりの漏水に対して、パネルを用いて導水を行うようになされたトンネル状構造物のパネルによる導水構造に関するものである。
【０００２】
【従来の技術】
トンネルや地下道等のトンネル状構造物の壁面は、劣化等によりクラックが生じ、そのクラックより漏水が発生することがある。従来、かかる漏水対策としては、クラック部に急結止水剤等を注入する止水工法、特殊セメントを吹き付ける吹き付け工法、漏水箇所をハツリ樋等を設置する線導水工法、防水シートを壁全面に敷設し、その上からモルタルを被覆したり、パネルを壁面に取付け、目地部分を充填材等で止水する面導水工法、壁面にトンネル内装板等の内装板を取付け、その目地部分を充填材等でシールしたり、壁面に防水シートを被覆後、内装板を取付ける内装板による漏水対策等がある。
【０００３】
【発明が解決しようとする課題】
しかしながら上記の如き漏水対策には次のような問題点がある。すなわち上記止水工法や吹き付け工法、線導水工法では、一時的に漏水が止まるものの、経年変化により二次漏水あるいは未処理箇所からの漏水が発生し、特に線導水工法では、下方で遊離石灰や泥等により目詰まりを起こし、また美観を損ねる問題がある。また防水シートによる面導水工法は、防水シートとして通常は可撓性を有する薄い合成樹脂シートが使用されるために施工現場での取扱いが容易ではなく、また取扱いによっては破れる等の問題もある。パネルによる面導水工法は、前記防水シートによる問題は解消されるものの、目地部分を充填材等でシールしているために、施工性に難点があると共に充填材等の劣化により再び漏水が発生する問題があり、また各パネルの表面が不揃いであっても不陸調整が困難である。さらに内装板による漏水対策は、天井面は困難であって側壁面しか対応できず、また内装板と別個に導水機構を設けると、側壁面よりの突出寸法も大きくなる問題がある。
【０００４】
そこで本発明は、上記の如き問題点を解消し、漏水に対してパネルを用いて導水を行うようになされたトンネル状構造物のパネルによる導水構造において、施工が容易であり、また不陸調整を容易にし、且つ側壁面のみならず天井面にも対応でき、さらに壁面からあまり突出させないようにすることを目的とするものである。
【０００５】
【課題を解決するための手段】
上記目的を達成するために、本発明は次のような構成としている。
すなわちこの発明に係るトンネル状構造物の導水構造は、壁面に埋設されたアンカーボルトと、裏面に防水シートが貼着され壁面に沿って配列されたパネルと、アンカーボルトに支持されて隣接するパネルの縦目地部分に沿って配置された縦目地材とを有し、縦目地材はアンカーボルトに支持される基板上に、相対向した二個の台座が上下方向に沿って形成されると共に各々の台座の背面側が開口して縦溝が形成され、パネルは、左右側端が縦目地材の台座上に配置され、且つパネル裏面の防水シートの左右側端には先端が縦目地材の縦溝内に挿入されて漏水を縦目地部分から漏出させない立ち上げ部が形成されたことを特徴とするものである。
【０００６】
本発明によれば、壁面に凹凸がある場合は、アンカーボルトに対して縦目地材を前後に移動させることにより、容易に不陸調整を行うことができる。
【０００７】
またパネル裏面の防水シートの左右側端には先端が縦目地材の縦溝内に挿入されて漏水を縦目地部分から漏出させない立ち上げ部が形成されているので、パネルの裏面に滴下した漏水は、前記立ち上げ部により遮られて縦目地部分から表面側に漏出することなく、パネルの裏面に沿って下方に落下される。
【０００８】
さらに縦目地部分の漏出を前記の如く立ち上げ部で防止し、充填材等で縦目地部分をシールする必要がないので、施工が容易である。
【０００９】
また前記の如くパネル裏面の防水シートの左右側端の立ち上げ部により導水機能を具備させているために、パネルと別に導水機構を設ける必要がないので、壁面からの突出寸法を小さくすることができる。
【００１０】
前記発明に加えて、下地材を介してアンカーボルトに支持されて隣接するパネルの横目地部分に沿って配置された横目地材を有し、パネルは、上下端が前記下地材と横目地材との間に挟着されて下地材に支持され、且つパネル裏面の防水シートの下端には下地材と壁面との間に位置されて漏水を横目地部分から漏出させない立ち上げ部が形成されていれば、パネルの裏面に滴下した漏水は、前記立ち上げ部により横目地部分からも表面側に漏出することなく、パネルの裏面に沿って下方に落下される。従って漏水をパネルや縦および横目地部分から漏出させることなく、全てを壁面とパネルとの間で処理して下方に落下させることができるので、側壁面のみならず天井面にも対応することができる。
【００１１】
さらにパネルは、前記の如く、その上下端を下地材と横目地材との間に挟着させることにより下地材に支持され、また横目地部分の漏出を立ち上げ部で防止し、充填材等で目地部分をシールする必要がないので、施工が容易である。
【００１２】
また前記の如くパネル裏面の防水シートの下端の立ち上げ部によっても導水機能を具備させているために、パネルと別に導水機構を設ける必要がないので、壁面からの突出寸法を小さくすることができる。
【００１３】
前記発明において、パネルの裏面に防水シートを貼着し、この防水シートの左右側端をめくり上げることにより、パネル裏面の左右側端に沿ってそれぞれ立ち上げ部を形成するようにすれば、容易に立ち上げ部が形成され、また防水シートによりパネル裏面の防水性も付与できる。
【００１４】
また前記発明において、パネルの裏面に防水シートを貼着し、この防水シートの下端をめくり上げることにより、パネル裏面の下端に沿って立ち上げ部を形成するようにすれば、容易に立ち上げ部が形成され、また防水シートによりパネル裏面の防水性も付与できる。
【００１５】
【発明の実施の形態】
次に、本発明の実施の形態について図面を参照し、具体的に説明する。
すなわち図１は本発明の実施の一形態を示す正面図、図２は図１の断面図、図３は図１の他の断面図、図４はパネルの、（イ）は正面図、（ロ）は横断面図、（ハ）は縦断面図である。
【００１６】
図面において、１はトンネル状構造物の壁面、２はその壁面１に所定位置に埋設されたアンカーボルト、３は壁面１に沿って上下左右に配列された複数のパネル、４はアンカーボルト２に支持されて隣接するパネル３の縦目地に沿って上下方向に配置された長尺体からなる縦目地材、５はアンカーボルト２に支持された下地材、６は下地材５に支持されて隣接するパネル３の横目地に沿って左右方向に配置された長尺体からなる横目地材である。
【００１７】
パネル３は、セメント系板、鋼板等の金属板、ホーロー板、合成樹脂板、合成樹脂と金属等の複合板等の適宜板材からなるものであって、その裏面には一般にはポリエチレン、ポリスチレン、ポリプロピレン、ポリ塩化ビニル、ポリエステル、ＥＶＡ、アスフアルト系またはゴム系等の防水性を有するシート材からなる防水シート３１が左右両側端と下端とを残して貼着されている。そしてその未貼着部分が裏面側にめくり上げられることにより、パネル３の裏面の防水シートには左右側端と下端とに沿ってそれぞれ立ち上げ部３２，３３が形成されている。また３４は緩衝材であって、立ち上げ部３２が軟質のシート材から形成される場合等において、立ち上げ部３２の根元に配置され、立ち上げ状態を維持させるためのものである。
【００１８】
なお防水シート３１は、パネル３の裏面の防水性を付与するために、一般にはパネル３の裏面全体に貼着されるが、パネル３が防水性を有していれば、前記立ち上げ部３２，３３を形成するに充分な大きさで部分的に貼着されていてもよく、さらにシート状でなくても、薄板状であってもよい。またパネル３の表面には無機塗料等を塗布してトンネル内装板としての機能を付加したり、蛍光塗料を塗布して視線誘導機能を付与したり、イラストデザイン等を適宜施してもよい。
【００１９】
縦目地材４は、断面が略π字状となされ、縦目地部分の幅より十分幅広の基板４１上に、相対向した二個の台座４２が上下方向に沿って並行に形成され、両台座４２の背面側は開口されて縦溝４３が形成されている。
【００２０】
前記基板４１は、左右側端にアンカーボルト２が挿入されるボルト挿通孔４４がアンカーボルト２に対応して複数穿設されている。そしてこの挿通孔４４にアンカーボルト２を挿入させると共に、アンカーボルト２に螺合させた二個のナット２１により基板４１を挟着することにより、縦目地材４がアンカーボルト２に支持される。なお壁面１に凹凸がある場合は、この二個のナット２１を調節することにより、アンカーボルト２に対して縦目地材４を前後に移動させて、不陸調整を行うことができる。
【００２１】
また台座４２は、基板４１上にそれぞれ突設されたＬ字状片の先端が背面側に折曲されて形成され、基板４１と台座４２とによって形成される背面側の空間が縦溝４３となされている。そしてパネル３の左右側端が前記台座４２上に配置され、またパネル３裏面の防水シートの左右側端に沿って形成された立ち上げ部３２の先端が前記縦溝４３内に挿入され、この立ち上げ部３２により漏水を縦目地部分から表面側に漏出させないようになされている。
【００２２】
下地材５は、垂直部５１と水平部５２とからなる断面Ｌ字状の長尺体からなる下地金具５３と、同じく垂直部５４と水平部５５とからなる断面Ｌ字状の短尺体からなる支持金具５６とから構成されるものであって、下地金具５３の垂直部５１が二個のナット２１によりアンカーボルト２に固定され、そしてその下地金具５３の水平部５２に支持金具５６の水平部５５がボルト５７により固定されることにより、複数の支持金具５６が適宜間隔をおいて下地金具５３に固定されている。そしてこの下地材５は、隣接するパネル３のほぼ横目地部分に沿って配置され、この下地材５に、すなわち支持金具５６の垂直部５４に横目地材６がボルト６１により支持されるようになされている。また壁面１に凹凸がある場合は、アンカーボルト２の二個のナット２１を調節することにより、アンカーボルト２に対して下地材５を前後に移動させて、不陸調整を行うことができる。
【００２３】
そして前記支持金具５６の垂直部５４と横目地材６との間、すなわち下地材５と横目地材６との間にパネル３の上下端が挟着されて、パネル３が下地材５に支持され、またパネル３の裏面の防水シートの下端に沿って形成された立ち上げ部３３は下地材５と壁面１との間に位置され、この立ち上げ部３３により漏水を横目地部分から表面側に漏出させないようになされている。
【００２４】
次に上記形態によるトンネル状構造物の導水構造の施工方法を説明する。
まず所定位置に合わせて、壁面１にアンカーボルト２を埋設する。次にそのアンカーボルト２を縦目地材４の基板４１のボルト挿通孔４４に挿入し、二個のナット２１を螺合することにより、不陸調整を行いつつ、パネル３の縦目地部分となる位置に、縦目地材４を上方から下方に向かって順次アンカーボルト２に支持させる。
【００２５】
またパネルの横目地部分となる位置に、下地金具５３の垂直部５１をアンカーボルト２の二個のナット２１により不陸調整を行いつつ固定し、次いで下地金具５３の水平部５２に支持金具５６の水平部５５をボルト５７により固定することにより、適宜間隔をおいて複数の支持金具５６が下地金具５３に固定された下地材５を、パネル３の横目地部分となる位置に、配置する。
【００２６】
しかる後、ボルト６１により下地材５に横目地材６を仮止めする。そしてこの下地材５と横目地材６との間にパネル３の上下端を挿入すると共に、パネル３の左右側端を縦目地材４の台座４２上に配置し、且つパネル３裏面の防水シートの左右側端の立ち上げ部３２の先端を縦溝４３内に挿入し、またパネル３裏面の防水シートの下端の立ち上げ部３３を下地材５と壁面１との間に位置させる。
【００２７】
そしてこの状態で、ボルト６１を締めて横目地材６を下地材５に固定することにより、パネル３の上下端を横目地材６と下地材５との間に挟着し、パネル３を下地材５に支持させる。かようにして順次、パネル３裏面の防水シートの左右側端の立ち上げ部３２の先端を縦目地材４の縦溝４３内に挿入すると共にパネル３裏面の防水シートの下端の立ち上げ部３３を下地材５と壁面１との間に位置させながら、パネル３の上下端を横目地材６と下地材５との間に挟着させることにより、パネル３を下地材５に支持配列させる。
【００２８】
なおトンネル状構造物のアーチ最上部からパネル３を取付ける場合は、アーチ最上部に配置するパネル３は、立ち上げ部３３が上下端に形成されているものを使用する。
【００２９】
また本形態では、下地材５は、別体で形成された下地金具５３と支持金具５６とから構成されているが、下地金具５３と支持金具５６とが一体的に形成されたものであってもよく、またその形状も特に限定されるものではない。
【００３０】
【発明の効果】
本発明によれば、壁面に凹凸がある場合は、アンカーボルトに対して縦目地材を前後に移動させることにより、容易に不陸調整を行うことができる。
【００３１】
またパネル裏面の防水シートに形成された立ち上げ部により、パネルの裏面に滴下した漏水は、前記立ち上げ部により遮られて縦目地部分から表面側に漏出することなく、パネルの裏面に沿って下方に落下される。
【００３２】
さらに縦目地部分の漏出を前記の如く立ち上げ部で防止し、充填材等で縦目地部分をシールする必要がないので、施工が容易である。
【００３３】
また前記の如くパネル裏面の防水シートの左右側端の立ち上げ部により導水機能を具備させているために、パネルと別に導水機構を設ける必要がないので、壁面からの突出寸法を小さくすることができる。
【図面の簡単な説明】
【図１】本発明の実施の一形態を示す正面図である。
【図２】図１の断面図である。
【図３】図１の他の断面図である。
【図４】パネルの、（イ）は正面図、（ロ）は横断面図、（ハ）は縦断面図である。
【符号の説明】
１    壁面
２    アンカーボルト
２１  ナット
３    パネル
３１  防水シート
３２  立ち上げ部
３３  立ち上げ部
３４  緩衝材
４    縦目地材
４１  基板
４２  台座
４３  縦溝
４４  挿通孔
５    下地材
５１  垂直部
５２  水平部
５３  下地金具
５４  垂直部
５５  水平部
５６  支持金具
５７  ボルト
６    横目地材
６１  ボルト
【図１】
0003610184.tif 000002
【図２】
0003610184.tif 000003
【図３】
0003610184.tif 000004
【図４】
0003610184.tif 000005